(57)【特許請求の範囲】
【請求項１】
光ケーブルの分岐・接続部に使用される光ケーブル接続管において、
前記光ケーブルの分岐部又は接続部を収納するための単一の収納溝が長手方向に沿って形成された棒状の収納部材、及び前記収納部材の両端部に設けられ、前記収納溝の端部に相当する溝が形成され前記長手方向に垂直な面内で前記収納部材よりも外側に張り出したストッパ板、を備えたフレームと、
前記フレームを収納可能な内法寸法とされ、長手方向両端部の外側面に第１のネジ部を有する保護管と、
前記収納溝に収納された光ケーブルにおける前記フレームより外側部分の外被を把持する把持部材と、
前記第１のネジ部に螺合する第２のネジ部が内面に形成された貫通孔を有し、当該第２のネジ部を前記第１のネジ部にネジ留めすることで前記把持部材を前記ストッパ板に押圧する押圧機能を有する締結部材と、
を備えた光ケーブル接続管。
【請求項２】
前記把持部材は、側面にスリットが形成されたことを特徴とする請求項１記載の光ケーブル接続管。
【請求項３】
光ケーブルの分岐・接続部に使用される光ケーブル接続管において、
前記光ケーブルの分岐部又は接続部を収納するための単一の収納溝が長手方向に沿って形成された棒状の収納部材、及び前記収納部材の両端部に設けられ、前記収納溝の端部に相当する溝が形成され前記長手方向に垂直な面内で前記収納部材よりも外側に張り出したストッパ板、を備えたフレームと、
前記ストッパ板の間に配置され前記フレームを被うための長尺状のカバーと、
を備え、
前記ストッパ板の溝と前記カバーの内面とにより、光ケーブルを挟持する構成とされたことを特徴とする光ケーブル接続管。
【請求項４】
前記収納溝の両端部近傍における側面に、光ケーブルの外被を把持する突起又はリブが溝深さ方向に沿って形成されたことを特徴とする請求項１〜３の何れか１項に記載の光ケーブル接続管。
【発明の詳細な説明】
【０００１】
【発明の属する技術分野】
本発明は、光ファイバ心線を集合した光ケーブルの分岐・接続部に使用される光ケーブル接続管に関する。
【０００２】
【従来の技術及び発明が解決しようとする課題】
光通信網の発展とともに多数の加入者宅への光ファイバの導入の検討が進められている。架空に敷設された光ケーブルを少数心の分岐光ケーブルと接続する際、光ケーブル接続箱が用いられている。
【０００３】
この光ケーブル接続箱としては、特開平８−２８６０８５号公報に、多心ケーブルから複数のドロップケーブルを引き落とし中間分岐接続を行うため、箱筐体を半割り構造にして作業性を改善したものが開示されている。
【０００４】
ところが、かかる光ケーブル接続箱は多心ケーブル用であるため、筐体が大きく、作業性向上を重視したため構造が複雑であるという問題がある。
【０００５】
このような問題点を解消するには、接続箱でなく管状の筐体を採用することが考えられる。実際に、ヨーロッパ出願の公開公報の第０５０５１０４Ａ１号には、コネクタ付きドロップケーブルのコネクタ部保護材として管状の筐体を採用したものが開示されている。
【０００６】
しかしながら、ここで開示されているものは、コネクタ付きドロップケーブルのコネクタ部保護用に設計されているため、光ケーブルの接続部の固定用としては使用できない。また、この開示技術では、保護管の端部でケーブル外被の把持及びケーブルの防水を行っているため、外被把持構造及びケーブルシール部が複雑になるという問題がある。
【０００７】
また、光ケーブルの接続部（即ち、光ファイバの接続部）や光ケーブルの分岐部は、通常光ケーブルそのものと比較して強度が弱いので、張力から保護する必要があるが、これらの従来技術ではその防止効果が得られなかった。
【０００８】
本発明は、上記課題を解決するために成されたものであり、外被把持及びシールの構造を簡易化しつつ必要な部品点数を削減してサイズの小型化を図ることができるケーブル接続管を提供することを目的とする。
【０００９】
【課題を解決するための手段】
上記目的を達成するために、本発明に係る光ケーブル接続管は、光ケーブルの分岐・接続部に使用される光ケーブル接続管において、前記光ケーブルの分岐部又は接続部を収納するための単一の収納溝が長手方向に沿って形成された棒状の収納部材、及び前記収納部材の両端部に設けられ、前記収納溝の端部に相当する溝が形成され前記長手方向に垂直な面内で前記収納部材よりも外側に張り出したストッパ板、を備えたフレームと、前記フレームを収納可能な内法寸法とされ、長手方向両端部の外側面に第１のネジ部を有する保護管と、前記収納溝に収納された光ケーブルにおける前記フレームより外側部分の外被を把持する把持部材と、前記第１のネジ部に螺合する第２のネジ部が内面に形成された貫通孔を有し、当該第２のネジ部を前記第１のネジ部にネジ留めすることで前記把持部材を前記ストッパ板に押圧する押圧機能を有する締結部材と、を備えたことを特徴とする。
【００１０】
このような光ケーブル接続管によれば、フレームの長手方向に沿って形成された収納溝に、光ケーブル、当該光ケーブルに収容された光ファイバ心線、及び当該光ファイバ心線の接続部ないし分岐部を収納することができる。このとき当該接続部をフレームの中央部に収納し、光ファイバ心線、光ケーブルをフレーム端部側へ向けて順に収納できる。フレーム両端部に収納された光ケーブルについては、フレーム端部に設けられたストッパ板の溝に嵌め込まれ、さらにその外側まで張り出すこととなる。
【００１１】
このような状態のフレーム及び光ケーブルに保護管を挿通し、当該保護管の外側に位置するケーブル部分に把持部材を嵌め込む。そして、両端から締結部材の貫通孔で覆い、貫通孔の内面に形成された第２のネジ部を保護管の長手方向両端部の第１のネジ部にネジ留めすることで把持部材をストッパ板に押圧する。これにより、把持部材が嵌め込まれた光ケーブルは、把持部材を介して長手方向内側への押圧力を受けることとなり、光ケーブルの外被を確実に把持することができる。
【００１２】
このような光ケーブル接続管によれば、上記のように光ケーブルの外被を把持するとともに、フレーム両端部のストッパ板により接続部のシール性を向上させることができケーブルの防水を図ることができる。また、フレームの収納溝に、光ファイバ心線、及び当該光ファイバ心線の接続部又は分岐部を直線の状態で収納することができるので、光ケーブル接続管自体のサイズ、特に直径を小さくすることができる。
【００１３】
即ち、本発明では、フレームに、ケーブル外被の把持及びシール機能、並びに光ファイバ心線及び当該光ファイバ心線の接続部又は分岐部の収納機能を持たせたので、ケーブル接続管として外被把持及びシールの構造を簡易化しつつ、部品点数を削減してサイズの小型化を図ることができる。
【００１４】
なお、フレームの単一の収納溝への光ケーブルの収納については、さまざまな態様を採用することができる。即ち、収納溝を、深さ寸法を大きくして形成することで、単心数の光ケーブルを深さ方向に複数本数収納したり、複数心数の光ケーブルを縦にして収納してもよい。また、収納溝を、幅寸法を大きくして形成することで、単心数の光ケーブルを幅方向に複数本数収納したり、複数心数の平型の光ケーブルを縦に積んで収納してもよい。
【００１５】
また、光ケーブル接続管の一方の端から単心数の光ケーブルを複数本数導入し、他方の端から複数心数の光ケーブルを導入し、収納溝の中央部で光ファイバ心線毎に接続する構成を採用することもできる。
【００１６】
なお、上記の把持部材は、側面にスリットが形成された構成とすることが望ましい。このように、側面にスリットがある把持部材とすることで、当該把持部材を、保護管の外側に位置するケーブル部分に嵌め込み易くなる。また、当該把持部材が嵌め込まれた光ケーブルは、把持部材を介して長手方向内側への押圧力を受けることとなり、光ケーブルの外被をより確実に把持することができる。また、光ケーブルにかかる張力を係止し光ファイバの接続部又は分岐部にかかる張力を防止することも可能となる。
【００１７】
ところで、上記の光ケーブル接続管は屋外・屋内の両方で使用可能であるが、主に屋内で使用される光ケーブル接続管については、以下のように構成することができる。
【００１８】
即ち、当該光ケーブル接続管は、光ケーブルの分岐・接続部に使用される光ケーブル接続管において、前記光ケーブルの分岐部又は接続部を収納するための単一の収納溝が長手方向に沿って形成された棒状の収納部材、及び前記収納部材の両端部に設けられ、前記収納溝の端部に相当する溝が形成され前記長手方向に垂直な面内で前記収納部材よりも外側に張り出したストッパ板、を備えたフレームと、前記ストッパ板の間に配置され前記フレームを被うための長尺状のカバーと、を備え、前記ストッパ板の溝と前記カバーの内面とにより、光ケーブルを挟持する構成とされたことを特徴とする。
【００１９】
この構成では、前述と同様のフレームを備えているので、前述と同様に、フレームの長手方向に沿って形成された収納溝に、光ケーブル、当該光ケーブルに収容された光ファイバ心線、及び当該光ファイバ心線の接続部又は分岐部を収納することができる。このとき当該接続部をフレームの中央部に収納し、光ファイバ心線、光ケーブルをフレーム端部側へ向けて順に収納できる。フレーム両端部に収納された光ケーブルについては、フレーム端部に設けられたストッパ板の溝に嵌め込まれ、さらにその外側まで張り出すこととなる。
【００２０】
このような状態のフレーム及び光ケーブルに対し、長尺状のカバーをストッパ板の間に装着する。これにより、防塵機能及び表面保護機能を果たすことができ、屋内用のケーブル接続管として使用することができる。また、カバーの装着状態では、ストッパ板の溝とカバーの内面とにより光ケーブルが挟持されるので、光ケーブルの把持位置がずれたり光ケーブルが飛び出したりといった不具合を未然に防止することができる。
【００２１】
なお、上記カバーの側面に長手方向に沿ってスリットを形成すれば、当該カバーの装着時にそのスリットを一時的に開くことで、その装着が容易となる。
【００２２】
ところで、光ケーブル接続管に設けたフレームにおいて、収納溝の両端部近傍における側面に、光ケーブルの外被を把持する突起又はリブが溝深さ方向に沿って形成された構成とすることが望ましい。
【００２３】
この場合、フレームの収納溝に光ケーブルを収納する場合、収納溝の両端部近傍に収納されるケーブル部分の外被が、溝側面の突起又はリブに当接し、物理的な係止のみで確実に把持されることとなる。このようにすることで光ケーブルにかかる張力が直接光ファイバの接続部にかかることを防止することができる。
【００２４】
また、上記の突起又はリブによる光ケーブルの外被の把持は、接着剤を使用せず、物理的な係止のみで行われるため、収納溝へ光ケーブルを収納しなおすことで、長手方向に沿った光ケーブルの外被の把持位置を自在に調整することができる。このため、かかる外被の把持位置を調整することで、光ファイバ心線の心線余長が調整される。ここで心線余長を持たせないようにすることで、光ファイバ心線を直線的に収納することができる。
【００２５】
これにより、従来の光ケーブル接続箱では、光ファイバ心線をループ取りし心線余長を収納していたところ、本発明では光ファイバ心線をループ取りし心線余長を収納する必要がなく当該収納スペースを不要とし、光ケーブル接続管のさらなるサイズ縮小を図ることができる。これに伴い、例えば、ドロップケーブルを延長接続したい時に、光ケーブル接続管の設置場所を問わず、当該延長接続が可能となる点で、実用性に非常に優れている。
【００２６】
【発明の実施の形態】
以下、本発明に係る光ケーブル接続管の実施の形態について説明する。なお、本発明に係る光ケーブル接続管としては、屋外でも使用可能な汎用性の有るケーブル接続管と、屋内用のケーブル接続管の２種類が有るが、前者は第１実施形態として、後者は第２実施形態として説明する。
【００２７】
［第１実施形態］
図１には、第１実施形態に係る光ケーブル接続管１０の分解斜視図を示し、図２には、光ケーブル接続管１０に関し左半分のみ中心軸断面を表す部分断面図を示す。
【００２８】
このうち図１に示すように光ケーブル接続管１０は、光ケーブル５０を把持するフレーム１２と、フレーム１２を収納可能な内法寸法とされ両端部にネジ部１４Ａを有する保護管１４と、フレーム１２により把持された光ケーブル５０の両端に配置されるブッシュ１６と、ブッシュ１６の外側から保護管１４の両端部にネジ留めされる袋ナット１８とを含んで構成される。
【００２９】
図１、図３、図４に示すように、フレーム１２は、略矩形状の断面とされたケーブル収納用の収納溝１２Ｃ、１２Ｄが長手方向に沿って直線状に形成されたケーブル保持部１２Ａと、ケーブル保持部１２Ａの両端に配置されケーブル保持部１２Ａよりも径方向外側に張り出したストッパ板１２Ｂとを備えている。このうちケーブル保持部１２Ａにおいては、端部に設けられた収納溝１２Ｄよりも、中央部に設けられた収納溝１２Ｃの方が幅広とされており、図１に示すように収納溝１２Ｃの中央には接続部２０が配置される。一方の収納溝１２Ｄには、その側面に、光ケーブル５０の外被を把持するリブ１２Ｅが溝深さ方向に沿って複数列形成されている。また、ストッパ板１２Ｂには、収納溝１２Ｄと連通するように溝１２Ｆが形成されている。
【００３０】
図５（ａ）、（ｂ）に示すように、ブッシュ１６には、角に丸みを付けた略長方形断面の貫通孔１６Ａが中心軸Ａに沿って形成され、貫通孔１６Ａの長辺方向に沿って１本のスリット１６Ｂが内周面から外周面にわたって形成されている。ブッシュ１６は弾性を有する。このブッシュ１６は、組み立て状態では、図２（ａ）、（ｂ）に示すように、ストッパ板１２Ｂの外側面に当接し、上記の収納溝１２Ｃ、１２Ｄに収納された光ケーブル５０の外被を貫通孔１６Ａによって把持する。ブッシュ１６は弾性体であればよく、ゴムや弾性プラスチックであってもよい。
【００３１】
袋ナット１８は、保護管１４のネジ部１４Ａに螺合するネジ部が内面に形成された貫通孔を有し、当該ネジ部をネジ部１４Ａにネジ留めすることで、ブッシュ１６をストッパ板１２Ｂに押圧する機能を有する。
【００３２】
なお、光ケーブル接続管１０の組み立て時の長さ寸法（図２（ａ）の寸法Ｌ１）は、２００〜３００ｍｍ程度で、フレーム１２の長さ寸法（図３（ａ）の寸法Ｌ２）は、１６８〜２６８ｍｍ程度とされている。
【００３３】
以上のような構成の光ケーブル接続管１０では、以下のような光ケーブルの接続部を収納することができる。即ち、対象となる光ケーブルは、図１、図６に示すドロップケーブル５０と、図１２に示す光コードとに大別される。
【００３４】
図１、図６に示すようにドロップケーブル５０は、その断面が、長辺の中央付近に切り欠きを有する略長方形とされ、光ケーブル心線を収納する心線収納部５０Ａが中心部に、テンションメンバを収納するテンションメンバ収納部５０Ｂが心線収納部５０Ａを挟んで長辺方向両側に、それぞれ形成されている。なお、テンションメンバとしては、鋼線や繊維強化プラスチック（ＦＲＰ）等が用いられ、外被５０Ｃにはプラスチック素材（ポリエチレン（ＰＥ）、ポリ塩化ビニール（ＰＶＣ）等）が用いられる。
【００３５】
一方、対象の光コードとしては、例えば、図１２（ａ）に示す単心の光ファイバ心線５２Ａを収納する単心コード５２が挙げられる。この単心コード５２は、光ファイバ心線５２Ａを抗張力繊維５２Ｃで被い、この抗張力繊維５２Ｃをさらに外被（例えば、ポリ塩化ビニール（ＰＶＣ）シース）５２Ｂで被った構成となっている。他にも、単心コード５２を２本並置・一体化した構成の２心コード５８（図１２（ｂ））や、図１２（ｃ）に示すように光ファイバ心線を２本並置して構成した２心テープ心線６０Ａを抗張力繊維６０Ｃで被い、抗張力繊維６０Ｃを外被６０Ｂで被った構成の２心テープコード６０が挙げられる。
【００３６】
以下、本実施形態の光ファイバ接続管１０の接続・収納構造を、ドロップケーブル５０を収納する場合について説明する。
【００３７】
図１に示すように、光ケーブル接続管１０によれば、フレーム１２の収納溝１２Ｃ、１２Ｄ、１２Ｆに、ドロップケーブル５０、当該ドロップケーブル５０に収容された光ファイバ心線５０Ａ、及び当該光ファイバ心線５０Ａの接続部２０を収納することができる。このとき接続部２０をフレーム１２の中央部に収納し、光ファイバ心線５０Ａ、ドロップケーブル５０をフレーム端部側へ向けて順に収納する。フレーム端部においてドロップケーブル５０はストッパ板１２Ｂの溝１２Ｆに嵌め込まれ、さらにその外側まで張り出すこととなる。
【００３８】
このとき収納溝１２Ｄにおいては、図６に示すようにドロップケーブル５０を矢印Ｆ方向に挿入するが、収納溝１２Ｄの側面にはリブ１２Ｅが溝深さ方向に沿って形成されているので、挿入されるドロップケーブル５０の外被がリブ１２Ｅに当接し、ドロップケーブル５０は物理的な係止のみで確実に把持されることとなる。
【００３９】
このような係止状態のフレーム１２及びドロップケーブル５０に保護管１４を挿通し、当該保護管１４の外側に張り出したドロップケーブル端部にブッシュ１６を嵌め込む。このときブッシュ１６の側面にはスリット１６Ｂが形成されているので、上記嵌め込みが容易となっている。
【００４０】
上記のブッシュ１６を保護管１４の端部近傍にてストッパ板１２Ｂに当接させた状態で、両端から袋ナット１８で覆い、袋ナット１８の貫通孔表面に形成されたネジ部を保護管１４のネジ部１４Ａにネジ留めすることで、ブッシュ１６をストッパ板１２Ｂに押圧する。これにより、ブッシュ１６が嵌め込まれたドロップケーブル５０は、ブッシュ１６を介して長手方向に沿った中央側への押圧力を受けることとなり、ドロップケーブル５０の外被を確実に把持することができる。
【００４１】
このような光ケーブル接続管１０によれば、上記のようにドロップケーブル５０の外被を把持するとともに、フレーム１２両端部のストッパ板１２Ｂにより接続部２０のシール性を向上させることができ防水を図ることができる。また、フレーム１２の収納溝１２Ｃ、１２Ｄ、１２Ｆに、光ファイバ心線５０Ａ、及び当該光ファイバ心線５０Ａの接続部２０を直線状とした状態で収納することができるので、光ケーブル接続管１０のサイズを小さくすることができる。即ち、フレーム１２に、光ケーブル外被の把持及びシール機能、並びに光ファイバ心線５０Ａ及びその接続部２０の収納機能を持たせたので、外被把持及びシールの構造を簡易化しつつ、必要な部品点数を削減して光ケーブル接続管の小型化を図ることができる。
【００４２】
また、リブ１２Ｅによるケーブル外被の把持は、接着剤を使用せず、物理的な係止のみで行われるため、収納溝１２Ｃ、１２Ｄへドロップケーブル５０を収納しなおすことで、長手方向に沿ったケーブル外被の把持位置を自在に調整することができる。このため、光ファイバ心線５０Ａの心線余長が調整可能となる。ここで心線余長を持たせないようにすることで、光ファイバ心線を直線的に収納することができる。
【００４３】
これにより、従来のように光ファイバ心線をループ取りし心線余長を収納していたところ、本実施形態では光ファイバ心線をループ取りし心線余長を収納する必要がなく当該収納スペースを不要とし、光ケーブル接続管のさらなるサイズ縮小を図ることができる。これに伴い、例えば、ドロップケーブルを延長接続したい時に、光ケーブル接続管の設置場所を問わず、当該延長接続が可能となる点で、実用性に非常に優れている。
【００４４】
なお、上記では、光ケーブルのうちドロップケーブル５０の収納・接続を説明したが、もちろん、光コードの収納・接続にも使用できる。但し、光コードの場合は、以下のような態様で収納・接続することができる。即ち、図７に示すように、光コード５２から光ファイバ心線５２Ａを口出しする部分に、太い径のかしめ部５４を形成して、このかしめ部５４をフレーム１２の溝１２Ｇの側面に設けたリブ１２Ｈでかしめることで光コード５２を把持し、その外側部分を溝１２Ｉに収納する構成を採用してもよい。
【００４５】
図８に示すように、かしめ部５４は、光コード５２から口出しした光ファイバ心線５２Ａを金属製（例えばステンレス製）で硬い内部リング５４Ｂに挿通し抗張力繊維５２Ｃを外被５２Ｂの内側から外側へ折り返した後、金属製（例えばステンレス製）で硬い外部リング５４Ａで外側から被うことにより、中心から順に光ファイバ心線５２Ａ、内部リング５４Ｂ、抗張力繊維５２Ｃ、外被５２Ｂ、抗張力繊維５２Ｃ、外部リング５４Ａが配置されるよう形成する。これにより光コード５２を図７の矢印Ｆ方向に挿入すると、太い径とされたかしめ部５４がリブ１２Ｈでかしめられ、光コード５２が確実に把持される。このとき、光コード５２の外側部分は溝１２Ｉに収納される。
【００４６】
ところで、本実施形態の光ケーブル接続管は単一の収納溝を備えているが、かかる単一の収納溝への光ケーブルの収納については、さまざまな態様を採用することができる。即ち、収納溝を、深さ寸法を大きくして形成することで、単心数の光ケーブルを深さ方向に複数本数収納したり、複数心数の光ケーブルを縦にして収納してもよい。例えば、図９（ａ）のように２心テープコードＣ１、Ｃ２を縦にして、テープコードＣ１から口出しされた光ファイバ心線２１、２２を、テープコードＣ２から口出しされた光ファイバ心線２３、２４にそれぞれ接続部２０Ａ、２０Ｂにて接続し、これら接続部２０Ａ、２０Ｂを接続部２０で一括収納する態様を採用することができる。もちろん、収納溝を、幅寸法を大きくして形成することで、単心数の光ケーブルを幅方向に複数本数収納したり、複数心数の光ケーブルを横にして収納してもよい。さらに、寸法の制約が無ければ、収納溝を複数本具備してもよい。
【００４７】
また、光ケーブル接続管の一方の端から単心数の光ケーブルを複数本数導入し、他方の端から複数心数の光ケーブルを導入し、収納溝の中央部で光ファイバ心線毎に接続し分岐部とする構成を採用することもできる。例えば、図９（ｂ）のように、一端から導入された２心テープコードＣ２からの光ファイバ心線２１を、他端から導入された単心コードＣ３からの光ファイバ心線２３に接続部２０Ａにて接続するとともに、一端から導入された２心テープコードＣ２からの光ファイバ心線２２を、他端から導入された単心コードＣ４からの光ファイバ心線２４に接続部２０Ｂにて接続し、これら接続部２０Ａ、２０Ｂを接続部２０で一括収納する態様を採用することができる。
【００４８】
［第２実施形態］
次に、第２実施形態として、屋内用ケーブル接続管を説明する。
【００４９】
図１０に示すように、屋内用ケーブル接続管１０Ｓは、第１実施形態と同様の構成のフレーム１２と、２つのストッパ板１２Ｂの間に配置されフレーム１２を被うための長尺状のカバー３０とを備えている。このカバー３０には、図１１に示すように、左右の下端に丸みを持つ略長方形断面の貫通孔３０Ａが長手方向に沿って形成され、貫通孔１６Ａの左右対称軸に沿って下端へ向けて１本のスリット３０Ｂが内周面から外周面にわたって形成されている。
【００５０】
この屋内用ケーブル接続管１０Ｓで特徴的なことは、図１０に示すストッパ板１２Ｂの溝１２Ｆとカバー３０の貫通孔の内面３０Ｃとによって、光ケーブル５０を挟持する構成とされたことである。
【００５１】
このような屋内用ケーブル接続管１０Ｓでは、第１実施形態と同様のフレーム１２を備えているので、フレーム１２の長手方向に沿って直線状に形成された収納溝１２Ｃ、１２Ｄ、１２Ｆに、光ケーブル５０、当該光ケーブル５０に収容された光ファイバ心線５０Ａ、及び当該光ファイバ心線５０Ａの接続部２０を収納することができる。このとき当該接続部２０をフレーム１２の中央部に収納し、光ファイバ心線５０Ａ、光ケーブル５０を順にフレーム端部側へ向けて収納する。フレーム両端部に収納された光ケーブル５０については、フレーム端部に設けられたストッパ板１２Ｂの溝１２Ｆに嵌め込まれ、さらにその外側まで張り出すこととなる。
【００５２】
このような状態のフレーム１２及び光ケーブル５０に対し、カバー３０を、そのスリット３０Ｂを一時的に開く等して２つのストッパ板１２Ｂの間に装着することができる。これにより、屋内用ケーブル接続管１０Ｓに必要とされる防塵機能及び表面保護機能を果たすことができる。
【００５３】
また、上記特徴点により、カバー３０の装着状態では、光ケーブル５０がストッパ板１２Ｂの溝１２Ｆとカバー３０の貫通孔内面とにより安定的に挟持されるので、光ケーブル５０の把持位置がずれたり光ケーブル５０が飛び出したりといった不具合を未然に防止することができる。また、フレーム１２に形成された収納溝１２Ｄ、１２Ｆが開口し光ケーブル５０が外れないようにカバー３０が抑え込む作用を有している。さらに、このカバー３０の上からステープル等で壁面に固定することもできる。
【００５４】
なお、上記第２実施形態でも、光ケーブル５０の把持は、接着剤を使用せず、物理的な係止のみで行われるため、フレーム１２の収納溝１２Ｄ、１２Ｆへ光ケーブル５０を収納しなおすことで、長手方向に沿った光ケーブル５０の外被の把持位置を自在に調整することができる。このため、かかる外被の把持位置を調整することで、光ファイバ心線５０Ａの心線余長を自在に調整でき、心線余長を持たせないようにすることで光ファイバ心線５０Ａを直線的に収納することができる。これにより、第１実施形態と同様、光ファイバ心線５０Ａをループ取りし心線余長を収納する必要がなく当該収納スペースを不要とし、光ケーブル接続管のさらなるサイズ縮小を図ることができる。
【００５５】
【発明の効果】
以上説明したように、本発明によれば、フレームに、ケーブル外被の把持及びシール機能、並びに光ファイバ心線及び当該光ファイバ心線の接続部又は分岐部の収納機能を持たせたので、ケーブル接続管として外被把持及びシールの構造を簡易化しつつ、部品点数を削減してサイズの小型化を図ることができる。
【図面の簡単な説明】
【図１】第１実施形態に係る光ケーブル接続管の分解斜視図である。
【図２】光ケーブル接続管において左半分のみ中心軸断面を表す部分断面図であり、（ａ）は正面図、（ｂ）は平面図である。
【図３】（ａ）はフレームの平面図、（ｂ）はフレームの正面図である。
【図４】フレームの端部についての拡大図であり、（ａ）は平面図、（ｂ）は正面図、（ｃ）は左側面図である。
【図５】ブッシュの構成図であり、（ａ）は（ｂ）のＶ−Ｖ線断面図、（ｂ）は右側面図である。
【図６】収納溝１２Ｄへのドロップケーブルの取り付け構造を示す図である。
【図７】溝１２Ｇへの光コードの取り付け構造を示す図である。
【図８】かしめ部の構成例を説明するための断面図である。
【図９】（ａ）は２心テープコード同士の接続態様を示す図であり、（ｂ）は２心テープコードと単心コード２本とを接続する接続態様を示す図である。
【図１０】第２実施形態に係る光ケーブル接続管の分解斜視図である。
【図１１】（ａ）はカバーの平面図、（ｂ）はカバーの正面図、（ｃ）はカバーの左側面図である。
【図１２】（ａ）は単心コードの構造を説明するための図、（ｂ）は２心コードの構造を説明するための図、（ｃ）は２心テープコードの構造を説明するための図である。
【符号の説明】
１０、１０Ｓ…光ケーブル接続管、１２…フレーム、１２Ａ…ケーブル保持部、１２Ｂ…ストッパ板、１２Ｃ、１２Ｄ…収納溝、１２Ｅ…リブ、１２Ｆ…溝、１４…保護管、１４Ａ…ネジ部、１６…ブッシュ、１６Ａ…貫通孔、１６Ｂ…スリット、１８…袋ナット、２０…接続部、３０…カバー、３０Ａ…貫通孔、３０Ｂ…スリット、５０…光ケーブル、５２…単心コード、５８…２心コード、６０…２心テープコード
【図１】
0003564702.tif 000002
【図２】
0003564702.tif 000003
【図３】
0003564702.tif 000004
【図４】
0003564702.tif 000005
【図５】
0003564702.tif 000006
【図６】
0003564702.tif 000007
【図７】
0003564702.tif 000008
【図８】
0003564702.tif 000009
【図９】
0003564702.tif 000010
【図１０】
0003564702.tif 000011
【図１１】
0003564702.tif 000012
【図１２】
0003564702.tif 000013